(57)【要約】【課題】あらゆる被掃除面で本来求める掃除機能を有効にし、薄型で隙間掃除に使い勝手のよい吸込具を提供すること。【解決手段】吸込具１５の底面を開口とする吸込口２１と、吸込具１５の底面の一部を吸込口２１側に傾斜させて形成した傾斜部２５と、この傾斜部２５に被掃除面側に向かって吸込口２１内に外気を導入するよう開口した複数個の噴射口２３と傾斜部２５から凹状になる噴射路２９を形成したことにより、吸込具１５を前方方向もしくは後方に操作されることで吸込口２１内部に吸引されるじゅうたん毛が吸込口２１の内壁の前方もしくは後方のどちらか一方を覆い隠すことになるが逆側は開放される作用となるので、狙いとした掃除性能を被掃除面の種類によって発揮できる。また、傾斜部２５を薄型にして使い勝手を向上することができる。【選択図】図５
2007111088.tif 000002
【特許請求の範囲】
【請求項１】
被掃除面の清掃を行う吸込具と、吸込具の後方部に塵埃を通過させる連通管と、吸込具の被掃除面に対向する面を開口とする吸込口と、連通管と吸込口を連通する連通口と、吸込具の底面の一部を被掃除面から離れるように吸込口側に傾斜させて形成した傾斜部と、傾斜部に吸込具底面から離れたところから吸込口側に向かって凹状に形成された噴出路と、吸込具の外側にあたる噴出路の端部に被掃除面側に向かって吸込口内に外気を導入するよう開口した複数個の噴出口を形成した吸込具。
【請求項２】
傾斜部は、吸込具の長手方向に従って形成されると共に、前記傾斜部及び前記傾斜部に設けた噴出口とを、吸込口に対向するように、それぞれ１対設けた請求項１に記載の吸込具。
【請求項３】
傾斜部を、連通口に向かって被掃除面と成す角度を徐々に大きくなるようにした請求項１または２に記載の吸込具。
【請求項４】
天面もしくは側面に向かって開口すると共に、外気を噴出口に導く導入口を設けた請求項１〜３のいずれか１項に記載の吸込具。
【請求項５】
導入口と噴出口を１対１で接続して連通路とした請求項４に記載の吸込具。
【請求項６】
噴出路の凹状部を円弧形状とした請求項１〜５のいずれか１項に記載の吸込具。
【請求項７】
吸込具の外側にあたる噴出路の端部の凹状部の深さを浅く、吸込口側にあたる凹状部の深さを深くなるようにした請求項１〜６のいずれか１項に記載の吸込具。
【請求項８】
吸込具からの塵埃を集塵する集塵室と、塵埃を集塵する吸引風を発生させる電動送風機と、集塵室と電動送風機を内部に備えた電気掃除機本体と、請求項１〜７のいずれか１項に記載の吸込具とを接続した電気掃除機。
【発明の詳細な説明】
【技術分野】
【０００１】
本発明は、特に集塵性能を向上させる機能を有した吸込具を搭載した電気掃除機に関するものである。
【背景技術】
【０００２】
従来のこの種の電気掃除機に搭載される吸込具は、吸込具の底面に凹状の溝を形成し、凹状内に刷毛やブレード状のものを設けている（例えば、特許文献１参照）。
【０００３】
図６は、前記公報に記載された従来の電気掃除機に搭載される吸込具を示すものである。図６に示すように、吸込具１の底面に吸込具１前側と吸込具１底面開口部とを連通させる複数の凹状流路２を設け、前記凹状流路の幅略中央に、刷毛３あるいは加撓性を有するブレード４から構成されている。
【特許文献１】特許第３４２１５８２号公報
【発明の開示】
【発明が解決しようとする課題】
【０００４】
しかしながら、前記従来の構成では、吸込具の底面に凹状流路を設けていたので、毛足の長いじゅうたん上で吸込具を使用した際に凹状流路にじゅうたん毛が入り込み凹状流路が埋まり、吸込具の性能が低下するという課題があった。また、凹状流路をじゅうたんの毛が入り込むことで埋まらないに様に深く設定すれば吸込具の厚みが総じて厚くなり、吸込具が家具などの下にできる隙間に入り難く、使い勝手が悪いという課題もあった。
【０００５】
本発明は、前記従来の課題を解決するもので、あらゆる被掃除面で本来求める掃除機能を有効にし、かつ薄型で隙間掃除に使い勝手のよい電気掃除機を提供することを目的としている。
【課題を解決するための手段】
【０００６】
前記従来の課題を解決するために、本発明の電気掃除機に搭載される吸込具は、吸込具の後方部に塵埃を通過させる連通管と、吸込具の被掃除面に対向する面を開口とする吸込口と、連通管と吸込口を連通する連通口と、吸込具の底面の一部を被掃除面から離れるように吸込口側に傾斜させて形成した傾斜部と、傾斜部に吸込具底面から離れたところから吸込口側に向かって凹状に形成された噴出路と、吸込具の外側にあたる噴出路の端部に被掃除面側に向かって吸込口内に外気を導入するよう開口した複数個の噴出口としたものである。
【０００７】
これによって、吸込具を前方方向もしくは後方に操作されることで吸込口内部に吸引されるじゅうたん毛が吸込口の内壁の前方もしくは後方のどちらか一方を覆い隠すことになるが逆側は開放される作用になり、前記従来の構成にある凹状流路にあたる噴出路および噴射口を吸込口内に傾斜させた傾斜部に設けたことにより、前後操作したときに必ず一方が開放されることになり、噴射口により流入した吸引風は噴出路より被掃除面上の塵埃を掃きだし、狙いとした掃除性能を被掃除面の種類によって発揮できるようにすることができる。また、吸込具の底面から吸込口内部に傾斜させて傾斜部を構成するので、傾斜部を設計するに当たり、現状の構成から大幅に設計寸法を触る必要がなく、薄型で簡単な構成で掃除性能を向上することができる。
【発明の効果】
【０００８】
本発明の電気掃除機に搭載される吸込具は、狙いとした掃除性能を被掃除面の種類によって発揮できなくなるようなことをなくす事ができる。
【発明を実施するための最良の形態】
【０００９】
第１の発明は、被掃除面の清掃を行う吸込具と、吸込具の後方部に塵埃を通過させる連通管と、吸込具の被掃除面に対向する面を開口とする吸込口と、連通管と吸込口を連通する連通口と、吸込具の底面の一部を被掃除面から離れるように吸込口側に傾斜させて形成した傾斜部と、傾斜部に吸込具底面から離れたところから吸込口側に向かって凹状に形成された噴出路と、吸込具の外側にあたる噴出路の端部に被掃除面側に向かって吸込口内に外気を導入するよう開口した複数個の噴出口を形成したことにより、吸込具を前方方向もしくは後方に操作されることで吸込口内部に吸引されるじゅうたん毛が吸込口の内壁の前方もしくは後方のどちらか一方を覆い隠すことになるが逆側は開放される作用になり、前記従来の構成にある凹状流路にあたる噴出路および噴射口を吸込口内に傾斜させた傾斜部に設けたことにより、前後操作したときに必ず一方が開放されることになり、噴射口により流入した吸引風は噴出路より被掃除面上の塵埃を掃きだし、狙いとした掃除性能を被掃除面の種類によって発揮できるようにすることができる。また、吸込具の底面から吸込口内部に傾斜させて傾斜部を構成するので、傾斜部を設計するに当たり、現状の構成から大幅に設計寸法を触る必要がなく、薄型で簡単な構成で掃除性能を向上することができる。
【００１０】
第２の発明は、吸込具の長手方向に従って形成した傾斜面と、吸込口に対向するように傾斜面を１対設け、同様に各々の斜面に外気を導入するように設けた噴出口とことにより、吸込具を前方方向もしくは後方に操作されることで吸込口内部に吸引されるじゅうたん毛が吸込口の内壁の前方もしくは後方のどちらか一方を覆い隠すことになるが逆側は開放される作用になり、前記従来の構成にある凹状流路にあたる噴射口を吸込口内に傾斜させた傾斜部に設けたことにより、前後操作したときに必ず一方の噴射口が開放されることになるので、効率よく噴射口により流入した吸引風により被掃除面上の塵埃を掃きだし、集塵性能を向上することができる。
【００１１】
第３の発明は、傾斜面を連通口に向かって被掃除面と成す角度を徐々に大きくなるようにすることにより、吸込具にかかる真空圧力は連通口部分で最大の力が発生し、吸込具の左右端部で弱まるように分布されるので、傾斜面を連通口部分で大きい角度にして左右端部で小さい角度にすることで真空圧力にしたがって均等に力を分散させることができるために、各噴射口にかかる圧力も均等化されるので吸込具全幅で噴射口を有効に働かせることができ、効率よく噴射口により流入した吸引風により被掃除面上の塵埃を掃きだし、集塵性能を向上することができる。
【００１２】
第４の発明は、天面もしくは側面に向かって開口し、外気を噴出口に導く導入口とすることにより、吸込具周囲の空気を導入口より吸引して、噴射口より吸引口に導入することにより、吸込具が被掃除面に吸着する圧力を低減するように導入口より空気を吸込み、吸込具底面側に噴射口によりこの空気を導入したために、吸込具周囲に浮遊する埃を吸引するだけでなく、吸込具底面にかかる吸引圧力を低下させて操作力の向上を行うことができるものである。
【００１３】
第５の発明は、導入口と噴出口を１対１で接続することを連通路とすることにより、吸込具底面に複数配置された噴射口にかかる圧力は吸込具の中央部に位置するほど高く、両端にいくほど低下する傾向にあり、導入口と噴射口を各々接続することにより導入口にかかる圧力も上記の法則に従い変化するために、導入口から吸引される風量が各位置により自動調整され、噴射口から吸引される風の圧力を効率的に向上することができるので、吸込具の集塵能力を向上することができる。
【００１４】
第６の発明は、噴出路の凹状部を円弧形状としたので、噴出路の直行方向にじゅうたんの毛や突起物が入り込んで乗り越える際に、引っかかることがなく乗り越えることができるために、操作性に優れたものとすることができる。
【００１５】
第７の発明は、吸込具の外側にあたる噴出路端部の凹状部の深さを浅く、吸込口側にあたる凹状部の深さを深くなるようにすることで、凹状の深いとこの開口面積が広いためにより大きな負圧を発生させ、吸込口から離れるために負圧が低下する方面を浅くすることで噴出路全体の負圧を均等化することにより、噴出路より吸引される風量を安定かつ増加することにより、被掃除面上に噴出す吸引風を強力なものにすることで掃除性能をより向上することができるものである。
【００１６】
第８の発明は、吸込具からの塵埃を集塵する集塵室と、塵埃を集塵する吸引風を発生させる電動送風機と、集塵室と電動送風機を内部に備えた電気掃除機本体と、請求項１〜７のいずれか１つの発明に記載の吸込具とを接続することにより、狙いとした吸込能力を十分に発揮でき、かつ薄型で集塵性能に優れる吸込具を搭載することができるので、掃除作業を効率的に行うことができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における吸込具を搭載した電気掃除機の斜視図を示すものである。
【００１９】
図１において、電気掃除機５は、電気掃除機本体６にホース１１、延長管１３、吸込具１５を接続して構成するのが一般的である。電気掃除機本体６には吸引風を発生させる電動送風機７が設置され、その前方には吸引風により集められた塵埃を収容する集塵容器８が着脱自在に設けられ、集塵容器８はその周囲に自在に開口できる集塵容器蓋９により電気掃除機本体６内部に収められている。
【００２０】
集塵容器８とホース１１を接続するようにホース１１の一端に接続管１０が設けられ、その逆端には電気掃除機本体６の電動送風機７を制御する制御スイッチを有したハンドル１２が設けられている。ハンドル１２にはホース１１を介して塵埃が通過する延長管１３が着脱自在に接続されており、その逆端には吸込具１５が連通管１４を介して接続されている。
【００２１】
図２においては、吸込具１５の略中央後方部には上下に自在に回動するアーム部１６が設けられ、アーム部１６に左右に回動自在に接続された連通管１４がある。吸込具１５の上側外郭部を成す上部材１８はアーム部１６を保持し、上部材１８には外気を吸引する開口部である導入口１９が吸込具１５の前後方向に複数個設けられている。また、上部材１８に保持されて吸込具１５が壁や家具に衝突した際に傷つけを防止する軟質の材料にて形成されているバンパー１７が吸込具１５の前面から側面、後面の一部に渡って取り付けられている。
【００２２】
図３においては、上部材１８と共に吸込具１５の外郭をなし、吸込具１５の底面部を形成する下部材２０と、被掃除面に一定の距離を保ちながら傷をつけずにスムーズに操作できるようにローラー体や起毛布などからなる走行体２４が下部材２０に複数設けられている。また、下部材２０には、被掃除面側に向かって開口して吸込具１５の長手方向に従って設けられた吸込口２１があり、吸込口２１とアーム部１６が連通する連通口２２が吸込口２１の略中央部に設けられている。
【００２３】
また、下部材２０の一部を被掃除面から離れる方向に吸込口２１内部に傾斜し、連通口２２に向かうほどその傾斜角度が大きくなるように設けた傾斜部２５を構成し、傾斜部２５は吸込具１５の前後方向にそれぞれ設けられている。傾斜部２５には導入口１９と連通する噴射口２３が複数個設けられている。噴射口２３の平面形状は吸込具１５の外側方向に位置する幅を広く、吸込口２１側に向かって幅が狭くなるような形状にしてあり、噴射口２３の各々は連通口２２に向かって放射状に配置している。
【００２４】
また、傾斜部２５に吸込具１５底面から離れたところから吸込口２１側に向かって凹状に形成され、かつ噴射口２３を包含するように設けた噴出路２９が各々の噴射口２３に対して設けられ、噴射口２３が配設された角度に平行になるように設けられている。
【００２５】
図４においては、導入口１９と噴射口２３は各々、１対づつ接続されるように複数も受けられた内壁２６により吸込具１５内部で仕切られており、内壁２６と上部材１８、下部材２０で囲まれる連通部屋２７を介して連通されている。
【００２６】
また、噴射路２９の直行方向の断面形状は、Ｒ状の形状になるように設けられている。
【００２７】
図５においては、噴射口２３の各々の断面形状は吸込具１５の上側方向に広がり、下側方向に絞られる形状になるように整流板２８によって構成されている。噴射路２９は平行の断面形状において、吸込口２１側に向かって凹溝の深さが深くなるように、外郭の外側に向かって浅くなるように傾斜させて設けてある。
【００２８】
以上のように構成された電気掃除に搭載される吸込具について、以下その動作、作用を説明する。
【００２９】
まず、ハンドル１２にある制御スイッチを入れることにより電動送風機７が起動して吸引風が発生する。吸引風はホース１１、延長管１３を介して吸込具１５に到達する。到達した吸引風は、連通口２２から吸引されることになる。吸込具１５が被掃除面上にある場合、連通口２２と吸込口２１内部の空気が吸引されて真空状態になる。そのために、下部材２０と被掃除面との間に吸引風が発生して、周囲および下部材２０下面にある塵埃が吸引される。吸引された塵埃は、集塵容器８内部に集められることになる。
【００３０】
また、吸込口２１が真空状態になることで、連通部屋２７内部も噴射口２３を通じることで同様に連通部屋２７内部の空気も噴射口２３より吸い出される。そのために導入口１９より新たな空気が入り込み、噴射口２３より噴出すことになる。
【００３１】
また、噴射路２９は、傾斜部２５より被掃除面から離れ、真空圧が高まる吸込口２１側に従って深くなる形状になっていることから、より高い真空圧を噴射口２３に掛けることができるために吸引風の風速を上げることができる。
【００３２】
また、噴射路２９に直行する方向の断面形状をＲ状に設けることで、噴射路２９内を流れる吸引風を整流しやすくすると共に、噴射路２９内部にじゅうたんの毛や家屋の凸部が入り込んだ際に、噴射路２９から入り込んだものが逃げやすい形状としている。
【００３３】
噴射口２３は、清流板２８により吸込口２１側に向かって狭められており、かつ平面形状において連通口２２側に向かって狭まる形状となっているために、噴射口２３より噴射される空気の流速は、下方向かつ連通口２２に向かって加速される状態となる。また、噴射口２３からの吸引風は斜面部２５、噴射路２９を介して被掃除面を噴出す風となり、被掃除面上の塵埃を吐き出す効果をより大きくすることができる。
【００３４】
また、じゅうたん上において傾斜部２５は吸込具１５が停止状態ではじゅうたんの毛により塞がれる形になる。しかし、吸込具１５を前方に操作することにより下部材２０の底面によりじゅうたんの毛が押しつぶされ、吸込口２１内部にじゅうたんの毛が吸引される形になったとき、吸込具１５の後方側に位置する傾斜部２５に張り付く形となり、後方部の傾斜部２５を閉塞する。一方、逆端側の傾斜部２５は下部材２０によりじゅうたんの毛が押しつぶされ、傾斜状に成っていることからじゅうたんの毛は傾斜部２５を完全に閉塞することはなく、じゅうたんの毛の間を狙って噴射口２３を開口させる形になり、じゅうたんの毛の間の塵埃をかき出す効果を得ることができる。吸込具１５を手前にひくと、これと逆の状態になり、じゅうたん上において傾斜部２５の前部もしくは後部のどちらか一方が機能することになる。この傾斜部２５を吸込口２１と下部材２０の間で形成することにより、吸込具１５の総厚みを抑えることができる設計をすることが可能になる。
【００３５】
以上のように、本実施の形態においてはじゅうたん上やじゅうたんの毛の間の塵埃を吹き飛ばして集塵性能を向上するための噴射口２３と噴射路２９を傾斜面上に設けることにより本来の目的を掃除面によることがなく機能させることができるものである。
【００３６】
また、簡単な構造をとることによって機能を維持できる設計のために吸込具１５の高さ方向の厚みを抑えることができ、家具などの隙間に入り込みやすい吸込具１５とすることができる。
【００３７】
また、前後操作したときに必ず一方の噴射口２３が開放されることになるので、効率よく噴射口により流入した吸引風により被掃除面上の塵埃を掃きだし、集塵性能を向上することができる。
【００３８】
また、各噴射口２３にかかる圧力も均等化されるので吸込具１５全幅で噴射口２３を有効に働かせることができ、効率よく噴射口２３により流入した吸引風により被掃除面上の塵埃を掃きだし、集塵性能を向上することができる。
【００３９】
また、吸込具１５周囲に浮遊する埃を吸引するだけでなく、吸込具１５底面にかかる吸引圧力を低下させて操作力の向上を行うことができるものである。
【００４０】
また、導入口１９から吸引される風量が各位置により自動調整され、噴射口２３から吸引される風の圧力を効率的に向上することができるので、吸込具１５の集塵能力を向上することができる。
【００４１】
また、吸込具１５が被掃除面に吸着する圧力を低減するように導入口１９より空気を吸込み、吸込具１５底面側に噴射口２３によりこの空気を導入したために、吸込具１５周囲に浮遊する埃を吸引するだけでなく、吸込具底面にかかる吸引圧力を低下させて操作力の向上を行うことができるものである。
【００４２】
また、吸込具１５底面に複数配置された噴射口２３にかかる圧力は吸込具１５の中央部に位置するほど高く、両端にいくほど低下する傾向にあり、導入口１９と噴射口２３を各々接続することにより導入口にかかる圧力も上記の法則に従い変化するために、導入口１９から吸引される風量が各位置により自動調整され、噴射口２３から吸引される風の圧力を効率的に向上することができるので、吸込具１５の集塵能力を向上することができる。
【００４３】
また、噴射口２３に吸引風が導入される際に入口側が広いほうが入りやすく、出口側で絞られることで吸引風の勢いが加速されるために、吸引風の威力を噴射口２３の形状により向上させることで、吸込具１５の集塵能力を向上することができる。
【００４４】
また、噴射口２３に吸引風が導入される際に入口側が広いほうが入りやすく、出口側で絞られることで吸引風の勢いが加速されるために、吸引風の威力を噴射口２３の形状により向上させることで、吸込具１５の集塵能力を向上することができる。
【００４５】
また、噴出路２９の直行方向にじゅうたんの毛や突起物が入り込んで乗り越える際に、引っかかることがなく乗り越えることができるために、操作性に優れたものとすることができる。
【００４６】
また、凹状の深いとこの開口面積が広いためにより大きな負圧を発生させ、吸込口２１から離れるために負圧が低下する方面を浅くすることで噴出路２９全体の負圧を均等化することにより、噴出路２９より吸引される風量を安定かつ増加することにより、被掃除面上に噴出す吸引風を強力なものにすることで掃除性能をより向上することができるものである。
【００４７】
また、本実施の形態の吸込口２１に駆動装置や風力より回転駆動する回転ブラシを設けた吸込具においても同様の構成をとることにより、同様の効果を得ることができるものである。
【産業上の利用可能性】
【００４８】
以上のように、本発明にかかる吸込具は、狙いとした掃除性能を被掃除面の種類によって発揮できなくなるようなことをなくす事ができるので、集塵性能を向上させる機能をもたせる等の用途にも適用できる。
【図面の簡単な説明】
【００４９】
【図１】本発明の実施の形態１における吸込具を搭載した電気掃除の斜視図
【図２】同吸込具の上面図
【図３】同吸込具の下面図
【図４】同吸込具の図３におけるＡ−Ａ断面図
【図５】同吸込具の図３におけるＢ−Ｂ断面図
【図６】従来の吸込具の下面図
【符号の説明】
【００５０】
６    電気掃除機本体
７    電動送風機
８    集塵容器
１５  吸込具
１９  導入口
２１  吸込口
２２  連通口
２３  噴射口
２５  傾斜部
【図１】
2007111088.tif 000003
【図２】
2007111088.tif 000004
【図３】
2007111088.tif 000005
【図４】
2007111088.tif 000006
【図５】
2007111088.tif 000007
【図６】
2007111088.tif 000008